(57)【要約】      （修正有）【課題】高水準の快適性と、最小限の設計の複雑性、子供にとっての安全性の向上を保障する自動車用チャイルドシートを提供する。【解決手段】シートシェル及び背もたれを備え、シートシェル及び背もたれの上端に、前方に突出している側翼（11）を備えたヘッドサポート（10）が設けられた自動車用チャイルドシート。ヘッドサポート（10）の傾斜、少なくともヘッドサポートの２個の側翼（11）の間に設けられたヘッドレスト（12）の傾斜は、背もたれに対して調節可能であり（矢印13、14）、特に背もたれにおよそ平行して延びている直立，起立姿勢（Ｗ）と、後方へ傾斜している休息、睡眠姿勢（Ｓ）との間で調整可能である。【選択図】図３
0003113656.tif 000002
【実用新案登録請求の範囲】
【請求項１】
シートシェルと背もたれを備え、前方へ突出した側翼（11）を備えたヘッドサポート（10）が前記シートシェルと前記背もたれの上端に設けられた自動車用チャイルドシートであって、前記ヘッドサポート（10）の傾斜、少なくとも、前記ヘッドサポート（10）の２個の前記側翼（11）の間に設けられたヘッドレスト（12）の傾斜は、前記背もたれに対して調節可能であり（矢印13、14）、特に、前記背もたれにおよそ平行して延びている、直立、起立姿勢（Ｗ）と、後方へ傾斜した休息あるいは睡眠姿勢（Ｓ）との間で調節可能であることを特徴とする自動車用チャイルドシート。
【請求項２】
前記ヘッドサポート（10）の傾斜、及び/又は前記ヘッドサポート（10）の２個の前記側翼（11）の間に設けられた前記ヘッドレスト（12）の傾斜は無段階あるいは段階的に調節できることを特徴とする請求項1に記載のチャイルドシート。
【請求項３】
前記ヘッドサポート（10）は高さ調節ができるよう前記背もたれに装備されていることを特徴とする請求項1あるいは2に記載のチャイルドシート。
【請求項４】
前記ヘッドサポート（10）は、前記背もたれの上端に高さ調節できるように設置されたヘッドサポートホルダー（15）の上端に設けられることを特徴とする請求項3に記載のチャイルドシート。
【請求項５】
前記ヘッドサポートホルダー（15）は管状、あるいは厚板状に設計されることを特徴とする請求項4に記載のチャイルドシート。
【請求項６】
前方へ突出した前記側翼（11）は厚板状の前記ヘッドサポートホルダー（15）の上端に成形され、楔形凹部（16）が2個の前記側翼（11）に挟まれた部分に形成され、前記側翼11の間に設けられた前記ヘッドレスト（12）が前記楔形凹部（16）の中へ回動可能であることを特徴とする請求項5に記載のチャイルドシート。
【請求項７】
前記シートシェルに近接する前記ヘッドレスト（12）の下端が水平横軸（17）で回動可能なように前記背もたれあるいは前記ヘッドサポートホルダー（15）に装備され、一方、前記ヘッドレスト（12）の上部には、前記背もたれ、あるいは前記ヘッドサポートホルダー（15）に対して様々な傾斜姿勢で引掛けて連結するための手段（18、19）が備えられていることを特徴とする請求項6に記載のチャイルドシート。
【請求項８】
特に弾力性部材（引張バネ20）の作用に抗して、前記ヘッドレスト（12）が前記回動軸受け（17）と共に引き上げられ、そのため前記ヘッドレスト（12）が引き上げられる際、前記ヘッドレストの第一の傾斜姿勢の引掛け連結が解除され、前記ヘッドレスト（12）が第二の傾斜姿勢へ変位し、前記ヘッドレスト（12）を引き下げることで第二の傾斜姿勢へ固定することができ、その逆もまた同様であることを特徴とする請求項7に記載のチャイルドシート。
【請求項９】
前記ヘッドレスト（12）の前記回動軸受けは2個の軸受けピン（17）を備え、前記軸受けピンは、前記背もたれ、及び/又は前記ヘッドサポートホルダー（15）に備えられ、前記背もたれ、及び/又は前記ヘッドサポートホルダー（15）におよそ平行に延びた楕円形固定部（24）に対応することを特徴とする請求項8に記載のチャイルドシート。
【請求項１０】
位置決めピン（19）、あるいは類似の突出部は前記ヘッドレスト（12）の上部において、前記ヘッドレスト（12）の少なくとも一方の面の側面に突出し、前記位置決めピン（19）は前記背もたれ、あるいは前記ヘッドサポートホルダー（15）に設けられた案内路（18）に対応し、前記案内路（18）は前記ヘッドレスト（12）の回動範囲に対応するよう湾曲に設計され、少なくとも2個の固定溝（25）を備え、固定溝のうち一方は前記ヘッドレスト（12）の起立姿勢（Ｗ）を固定し、もう一方は前記ヘッドレスト（12）の睡眠姿勢（Ｓを固定し、前記固定溝に前記位置決めピン（19）は任意に挿入することができることを特徴とする請求項7から9のいずれか1項に記載のチャイルドシート。
【考案の詳細な説明】
【技術分野】
【０００１】
本考案は、シートシェルと背もたれを備え、シートシェルと背もたれの上端には前方へ突出する側翼を備えたヘッドサポートが設けられた自動車用チャイルドシートに関するものである。
【背景技術】
【０００２】
この種のチャイルドシートは広く知られている。チャイルドシートは一般に、自動車に備えられている安全ベルトによって自動車の後部座席あるいは助手席に取り付けられている。この点では、非常に多様な設計が可能であり、これに関連して、下記特許文献１を先行技術として以下において参照する
【０００３】
本発明は、子供にとっての快適性と安全性を高めたチャイルドシードを提供することに関するものである。これに関連し、直立姿勢から傾斜した睡眠姿勢へ傾け、逆もまた同様にすることができるチャイルドシートは既に知られている。しかし、これらは比較的複雑な設計となっており、それに相応して構造が重い。さらに、突然自動車のブレーキを掛けた際に、子供が睡眠姿勢から、安全ベルト、特に腰ベルトの下を前方へ滑ってしまうという危険性がある。この場合特に、子供が斜めに掛けられたベルトによって喉を絞め付けられて、重傷を負うことがあるという危険性もある。これを防ぐため、いわゆる5点安全ハーネスがこの種のチャイルドシートに用いられることが不可欠である。
【０００４】
特に15kgから36kg（約3.5歳から12歳）の体重クラスの場合、車内シートベルトによって子供と一緒に固定されたチャイルドシートは上記のチャイルドシートに取って替わるものとして使用される。これらのチャイルドシートの背もたれは、通常シート部材に固定されて取り付けられている。多くの設計はまた、座席部上で水平軸に対して回動可能な背もたれを備えており、そのため自動車の背もたれの傾斜に適合でき、且つ子供のために後方へ傾斜した休息姿勢を可能にする。
【０００５】
大抵、ヘッドサポートは背もたれへプラグイン連結により追加して装備される。そのようなヘッドサポートの高さは子供の体格に適合できる。これらのヘッドサポートは一般的に、側面を支持するため、且つ側面衝突の際に頭部への損傷を防ぐための側翼が備えられている。この設計の不便な点は、子供が眠りにつき、それに伴い頚筋が弛緩した場合、子供の頭部が前方へ傾くのを防ぐための措置が取られていないということである。これに関連し、上半身の均衡も全体的に前方へ僅かにくずれて、結果的に前方へ倒れることになる。もしそのような状況下で側面衝突が起こった場合、子供はほとんど支えがなく、特にヘッドサポートの側翼はもはや効力を持たない。
【０００６】
正面衝突の場合、通常前方へ倒れた上半身は、斜めに掛けられたベルトから外へ、及び／又はベルトの上を滑り抜ける。この場合もまた、上半身はほとんど保護されていない。
【０００７】
【特許文献１】ドイツ特許  4328 635 C2 号公報
【考案の開示】
【考案が解決しようとする課題】
【０００８】
本考案は、先行技術と比較して、高水準の快適性と、設計の複雑性を最小限にして、子供にとっての安全性の向上を保障する自動車用チャイルドシートを提供することを目的とするものである。
【課題を解決するための手段】
【０００９】
この目的は、請求項1の特徴による本考案によって達成される。本考案の設計の詳細やさらなる発展は、従属クレームにおいて記述される。
【００１０】
したがって、本考案の重要な点は、ヘッドサポート及び/又はヘッドレストは直立起立姿勢から、後方へ傾斜した休息あるいは睡眠姿勢へと変位可能であり、寝ている子供の頭部、あるいは上半身全体がシート構造から前方へ倒れるのを防ぎ、また上半身が斜めに掛けられたベルトからはずれてねじれるのを防ぐことである。例えば、側面衝突や正面衝突の場合、子供の安全性は変わらずに高水準を保つ。
【００１１】
ヘッドサポート、及び/又はヘッドサポートの2個の側翼の間に設けられたヘッドレストは好ましくは無段階あるいは段階的な調節ができる。これは結局、製造者が望む設計への出資費用の問題である。
【００１２】
またヘッドサポートを、高さ調節ができるよう背もたれに装備することが非常に重要である。このために、好ましくは、高さ調節ができるように背もたれに装備された、管状か厚板状のヘッドサポートホルダーの上端にヘッドサポートを設ける。ヘッドサポートホルダーの設計が厚板状の場合、好ましくは楔形の凹部が二個の側翼の間に形成され、側翼の間に設けられたヘッドレストがその凹部へ回動可能である。ヘッドレストの回動受け軸を好ましくはシートシェルに近接したヘッドレストの下端に設ける。
【００１３】
回動受け軸及びヘッドサポートの更なる設計の詳細、及び/又はヘッドレストの位置を決める措置のさらなる設計の詳細は、請求項8及びそれに続く項で詳しく記載する。
【考案を実施するための最良の形態】
【００１４】
本考案による設計のヘッドサポートの好適な実施例を、添付の図面を参照して以下に詳細に述べる。
【００１５】
図1乃至3は本考案のヘッドサポートの構造を概略的に示している。自動車用チャイルドシートのヘッドサポートはシートシェルと背もたれから成っている。図1乃至3によると、ヘッドサポート10は前方へ突出した側翼11を備えている。ヘッドレスト12は2個の側翼11の間に設けられており、特に背もたれに対する傾斜が調整可能であるように設けられている。この調整は、図1では両矢印13で、図3では矢印14で表示されている。あるいは、ヘッドサポート10全体は回動可能に装備することができる。しかし、図示されている実施例の場合、ヘッドレストのみが、特に側翼11に対して回動可能であり、そして背もたれにおよそ平行して延びている直立起立姿勢と、後方へ傾斜した休息または睡眠姿勢との間を回動可能である。これに関連して、図4について述べると、同図ではヘッドレスト12のこれら二つの姿勢が異なる位置で示されている。起立姿勢は符号“Ｗ”で、休息姿勢あるいは睡眠姿勢は符号（Ｓ）で記されている。ヘッドレスト12の傾斜は無段階に、あるいは図4に示されているように段階的に調節可能である。
【００１６】
ここでは詳細に示されていないが、ヘッドサポート10は高さ調節のできるように背もたれに装備されていると強調されなければならない。このため、ヘッドサポート10は、高さ調節のできるように背もたれに装備されたヘッドサポートホルダー15の上端に取り付けられている。ヘッドサポートホルダー15は図1及び2の実施形態では厚板状に設計されている。ヘッドサポートの高さ調節機構は本考案と関連がないので、この特徴はここでは詳細に提示あるいは記述しない。しかし、当業者はこの種の高さ調節の設計の仕方がわかるであろう。このため、厚板状のヘッドサポートホルダー15は必ず背もたれ内、好ましくは背もたれの後方側に、変位可能に装備されなければならない。さらに、固定補助機構を一方は背もたれに、他方はヘッドサポートホルダー15に備え、ヘッドサポートをチャイルドシートの座面に対して様々な高さに固定できるようにする。この点で、チャイルドシートは“子供と共に成長すること”が可能であるといえる。
【００１７】
図1、2及び3の実施形態において、前方へ突出している側翼11は厚板状のヘッドサポートホルダー15の上端に形成される。したがって、側翼11はヘッドサポートホルダー15の不可欠な構成要素となる。
【００１８】
図3及び4にあるように、楔形凹部16が2個の側翼11に挟まれた部分に形成され、その凹部へ、側翼11の間に設けられたヘッドレスト12が回動可能となる（図3及び4）。シートシェルに近接するヘッドレスト12の下端は、水平横軸17を回動可能に、背もたれ、及び/又は、この場合はヘッドサポートホルダー15に取り付けられる。ヘッドレスト12の上部には、図4の符号18及び１9によって示されているように、背もたれ及び/又はヘッドサポートホルダー15に対して様々な傾斜姿勢で、引掛けて連結する手段が備わっている。
【００１９】
さらに、図4によると、回動軸受け17と共にヘッドレスト12が、好ましくは引張バネ20（図1及び2を参照）の作用に対して引き上げられ、そのため図4の矢印21の方向へヘッドレスト12が引き上げられる際、第一の傾斜姿勢、つまり図4の起立姿勢“Ｗ”の引掛け連結が解除され、ヘッドレスト12がこの起立姿勢から、第二の傾斜姿勢である図4の睡眠姿勢“Ｓ”へと変位し、矢印22の方向へヘッドレストを引き下げることによりこの位置に固定される。逆の場合もまた同様である。図4によるとまた、ヘッドレスト12は起立姿勢と睡眠姿勢との間の中間姿勢へ変位可能である。
【００２０】
提示されている実施形態では、急ブレーキや、及び/又は正面衝突の場合に、ヘッドレスト12が質量慣性により自動的に前方へ変位し、起立姿勢“Ｗ”へ固定されるという大きな利点がある。従って、ブレーキ行為、及び/又は衝突の最後に、子供の頭部が後方へ激しく揺さぶられた際、頭部は直立姿勢で支持される。よって、常時後方へ傾斜しているヘッドレストと比較して、及び/又は先行技術にあるような、後方へ傾斜しヘッドサポートもしっかり付いている背もたれと比較して、むち打ちの衝撃はかなり減少する。
【００２１】
ヘッドレスト12の回動軸受け17は、ヘッドレスト12或いは連続回動軸の両側から突出している2個の設置ピンから成り、ヘッドレスト12の両側に、連続回動軸より突出している。これらの設置ピンは、背もたれ、あるいはこの場合はヘッドサポートホルダー15のそれぞれに備えられ、背もたれ、及び/又はヘッドサポートホルダー15におよそ平行して延びている楕円形固定部24に対応している。ヘッドレスト12の上部には、位置決めピン19がヘッドレスト12の少なくとも一方の側、好ましくは両側の側面から突出している。これらのピンはそれぞれ案内路18に対応しており、側翼11が互いに隣り合う面に、案内路がそれぞれ形成される（図3を参照。案内路は側翼の不可欠な構成要素であり、楔形凹部16の内部に確かにある）。案内路18は、ヘッドレスト12の回動軸受け17による回動範囲に対応するよう湾曲されている。さらに、案内路18は少なくとも2個の固定溝25、図3及び4の実施形態では、3個の固定溝25を備えており、位置決めピン19がその固定溝へ挿入される。どの場合においても、この種の2個の固定溝25が備えられ、一方はヘッドレスト12の起立位置を固定し、もう一方は睡眠姿勢を固定する。この場合は、中間姿勢23が中間固定溝25によって固定される。
【００２２】
上記のヘッドサポート構造は好ましくは成形発泡体部材から成るが、好ましくは射出成形あるいは吹き込み成形処理を用いて加工された合成材料（例えばポリエチレン）から成る。個々の部分はさらに掛け布あるいは羽布張りで覆うことができる。
【００２３】
楔形凹部16の中へヘッドレスト12が回動でき、楔形凹部16は約10°から20°、特に約15°から17°の回動角を可能とする。
【００２４】
図3を参照してすでに説明したが、案内路18は側翼あるいはヘッドサポートホルダーの不可欠の構成要素となり得る。また、特に金属から成る別の構成部品として案内路18を備えることも考えられる。そして対応する案内留め部が、側翼の対応する側面凹部に挿入される。図2では、案内路18を受け入れるこの種の側面凹部が符号26で印されている。
【００２５】
ハンドグリップ凹部、あるいはハンドルは、引張バネ20の作用に対してヘッドレスト12を引き上げるのを容易にし、好ましくは、ヘッドレスト12の境界上縁に形成される。
【００２６】
上記にあるように、チャイルドシートの座面に対するヘッドサポートの高さとは関係なく、ヘッドサポートは回動可能である。
【００２７】
出願明細書において開示された全ての特徴は、先行技術と比較して、個々にあるいは組み合わせにおいて新規である限りにおいて、本考案にとって不可欠であるものとして請求されている。
【図面の簡単な説明】
【００２８】
【図１】図1は、本考案によって設計されたヘッドサポートの構造を示した正面斜視図である。
【図２】図2は、図1によるヘッドサポートの構造を示す分解斜視図である。
【図３】図3は、図1に対応した、ヘッドサポートの構造の変形例を示した斜視図である。
【図４】図4はヘッドサポートの側翼の間に設置されたヘッドレストの回動構造を示す本ヘッドサポートの原理を示した側面概略図である。
【符号の説明】
【００２９】
10    ヘッドサポート
11    側翼  
12    ヘッドレスト
13    両矢印
14    矢印
15    ヘッドサポートホルダー
16    楔形凹部
18    案内路
19    ピンあるいは位置決めピン
20    引張バネ
21    矢印
22    矢印
24    楕円形固定部
25    固定溝
26    側面凹部
W    起立姿勢
S    休息あるいは睡眠姿勢
【図１】
0003113656.tif 000003
【図２】
0003113656.tif 000004
【図３】
0003113656.tif 000005
【図４】
0003113656.tif 000006